(57)【要約】【課題】所定の視差を持つ立体画像を表示している状態から視差の異なる立体画像に表示を切り替える際に、ユーザが感じる疲労や不快感を少なくする。【解決手段】立体画像１０１が表示されている状態から、立体画像１０１から視差を徐々に減少させた複数の立体画像１０１ｂを表示させ、視差をなくした画像１０１ａを表示する。その後、次に表示すべき立体画像１０３の視差をなくした画像１０３ａに表示を切り替え、さらに視差を徐々に付加した複数の立体画像１０３ｂを表示させ、最後に次に表示すべき立体画像１０３を表示する。【選択図】  図５
2010199740.tif 000002
【特許請求の範囲】
【請求項１】
視差を有する立体画像を表示手段に表示する立体画像表示装置であって、コマ送り指示に応じて表示中の現コマの立体画像を次コマの立体画像に順次コマ送りする立体画像表示装置において、
コマ送りが指示されると、現コマの視差及び次コマの視差よりも視差の小さい視差低減画像を表示した後に前記次コマの立体画像を前記表示手段に表示することを特徴とする立体画像表示装置。
【請求項２】
所定の視差を有する立体画像から前記視差を低減した画像を生成する手段を備え、
前記視差低減画像は、前記現コマの立体画像から視差を低減した画像であることを特徴とする請求項１に記載の立体画像表示装置。
【請求項３】
所定の視差を有する立体画像から前記視差を低減した画像を生成する手段を備え、
前記視差低減画像は、前記次コマの立体画像から視差を低減した画像であることを特徴とする請求項１に記載の立体画像表示装置。
【請求項４】
コマ送りが指示されると、前記現コマの立体画像の視差を低減させた複数の画像であって、前記視差が現コマの視差から該現コマの視差よりも小さい所定の視差まで変化する複数の画像を視差が大きい順に表示してから前記視差低減画像を表示することを特徴とする請求項２又は３に記載の立体画像表示装置。
【請求項５】
コマ送りが指示されると、前記次コマの立体画像の視差を低減させた複数の画像であって、前記視差が次コマの視差よりも小さい所定の視差から次コマの視差まで変化する複数の画像を視差が小さい順に表示してから前記次コマの立体画像を表示することを特徴とする請求項２又は３に記載の立体画像表示装置。
【請求項６】
コマ送り速度に応じて、前記複数の画像の表示時間及び／又は枚数を切替えることを特徴とする請求項４又は５に記載の立体画像表示装置。
【請求項７】
前記視差低減画像は、視差の無い画像であることを特徴とする請求項１から６のいずれかに記載の立体画像表示装置。
【請求項８】
前記コマ送りは、普通速コマ送りと、該普通速コマ送りよりも短時間にコマ送りを行う高速コマ送りを備え、
前記高速コマ送りが指示された場合には、コマ送りすべき立体画像の視差を除去して生成された画像だけを表示してコマ送りすることを特徴とする請求項６又は７に記載の立体画像表示装置。
【請求項９】
前記視差を除去して生成された画像を表示する際に、基となった画像が立体画像である旨の表示を行うことを特徴とする請求項８に記載の立体画像表示装置。
【請求項１０】
視差を有する立体画像を表示手段に表示する立体画像表示装置であって、コマ送り指示に応じて表示中の第１の視差を有する現コマの立体画像を第２の視差を有する次コマの立体画像に順次コマ送りする立体画像表示装置において、
所定の視差を有する立体画像から前記視差を変化させた立体画像を生成する手段を備え、
コマ送りが指示されると、立体画像の視差を変化させた複数の画像であって、前記視差が前記第１の視差から前記第２の視差まで変化する複数の画像を順に表示してから前記次コマの立体画像を表示することを特徴とする立体画像表示装置。
【請求項１１】
前記立体画像の視差を変化させた複数の画像は、前記現コマの立体画像の視差を前記第１の視差から前記第２の視差まで変化させた複数の画像であることを特徴とする請求項１０に記載の立体画像表示装置。
【請求項１２】
前記立体画像の視差を変化させた複数の画像は、前記次コマの立体画像の視差を前記第１の視差から前記第２の視差まで変化させた複数の画像であることを特徴とする請求項１０に記載の立体画像表示装置。
【請求項１３】
視差を有する立体画像を表示手段に表示する立体画像表示方法であって、コマ送り指示に応じて表示中の現コマの立体画像を次コマの立体画像に順次コマ送りする立体画像表示方法において、
コマ送りが指示されると、現コマの視差及び次コマの視差よりも視差の小さい視差低減画像を表示した後に前記次コマの立体画像を前記表示手段に表示することを特徴とする立体画像表示方法。
【請求項１４】
視差を有する立体画像を表示手段に表示する立体画像表示方法であって、コマ送り指示に応じて表示中の第１の視差を有する現コマの立体画像を第２の視差を有する次コマの立体画像に順次コマ送りする立体画像表示方法において、
所定の視差を有する立体画像から前記視差を変化させた立体画像を生成する工程を備え、
コマ送りが指示されると、立体画像の視差を変化させた複数の画像であって、前記視差が前記第１の視差から前記第２の視差まで変化する複数の画像を順に表示してから前記視差のない画像を表示することを特徴とする立体画像表示方法。
【発明の詳細な説明】
【技術分野】
【０００１】
本発明は立体画像表示装置及びその表示方法に係り、特に、所定の視差を持つ立体画像を表示している状態から視差の異なる立体画像に表示を切り替える際に、ユーザが感じる疲労や不快感を少なくする立体画像表示装置及び立体画像表示方法に関する。
【背景技術】
【０００２】
両眼視差のある画像をユーザの左右の目に分離して入力することによって、ユーザに立体視させる立体画像表示装置が知られている。このような表示装置を用いて立体視を行うと、ユーザは眼の疲労を感じることがある。
【０００３】
特許文献１には、立体画像の表示時間が所定時間を超えた場合に、立体画像の視差を小さくする技術が記載されている。この技術によれば、観察者の眼の疲労に応じて表示される立体画像の視差を調整することで、観察者の眼を保護することが可能となる。
【先行技術文献】
【特許文献】
【０００４】
【特許文献１】特開２００８−３０６７３９号公報
【発明の概要】
【発明が解決しようとする課題】
【０００５】
しかしながら、特許文献１の技術を用いても、立体画像をコマ送りした場合に、急に異なる視差画像へ表示が切り替わるため、ユーザはそれに合わせて瞬時に視差を調整しなければならず、不快感、疲労、それに伴う立体感の喪失が生じてしまうという問題点があった。この問題点は、高速でコマ送りをする際には、より顕著になる。
【０００６】
本発明はこのような事情に鑑みてなされたもので、所定の視差を持つ立体画像を表示している状態から視差の異なる立体画像に表示を切り替える際に、ユーザが感じる疲労や不快感を少なくする立体画像表示装置及び立体画像表示方法を提供することを目的とする。
【課題を解決するための手段】
【０００７】
前記目的を達成するために請求項１に記載の立体画像表示装置は、視差を有する立体画像を表示手段に表示する立体画像表示装置であって、コマ送り指示に応じて表示中の現コマの立体画像を次コマの立体画像に順次コマ送りする立体画像表示装置において、コマ送りが指示されると、現コマの視差及び次コマの視差よりも視差の小さい視差低減画像を表示した後に前記次コマの立体画像を前記表示手段に表示することを特徴とする。
【０００８】
請求項１に記載の発明によれば、コマ送りが指示されると、視差を低減した画像を表示した後に次コマの立体画像を表示手段に表示するようにしたので、所定の視差を持つ立体画像を表示している状態から視差の異なる立体画像に表示を切り替える際に、ユーザが感じる疲労や不快感を少なくすることができる。
【０００９】
請求項２に示すように請求項１に記載の立体画像表示装置において、所定の視差を有する立体画像から前記視差を低減した画像を生成する手段を備え、前記視差低減画像は、前記現コマの立体画像から視差を低減した画像であることを特徴とする。
【００１０】
これにより、ユーザが感じる疲労や不快感を少なくすることができ、かつ自然なコマ送りをすることができる。
【００１１】
請求項３に示すように請求項１に記載の立体画像表示装置において、所定の視差を有する立体画像から前記視差を低減した画像を生成する手段を備え、前記視差低減画像は、前記次コマの立体画像から視差を低減した画像であることを特徴とする。
【００１２】
これにより、ユーザが感じる疲労や不快感を少なくすることができ、かつ自然なコマ送りをすることができる。
【００１３】
請求項４に示すように請求項２又は３に記載の立体画像表示装置において、コマ送りが指示されると、前記現コマの立体画像の視差を低減させた複数の画像であって、前記視差が現コマの視差から該現コマの視差よりも小さい所定の視差まで変化する複数の画像を視差が大きい順に表示してから前記視差低減画像を表示することを特徴とする。
【００１４】
これにより、ユーザが感じる疲労や不快感を少なくすることができ、かつ自然なコマ送りをすることができる。
【００１５】
請求項５に示すように請求項２又は３に記載の立体画像表示装置において、コマ送りが指示されると、前記次コマの立体画像の視差を低減させた複数の画像であって、前記視差が次コマの視差よりも小さい所定の視差から次コマの視差まで変化する複数の画像を視差が小さい順に表示してから前記次コマの立体画像を表示することを特徴とする。
【００１６】
これにより、ユーザが感じる疲労や不快感を少なくすることができ、かつ自然なコマ送りをすることができる。
【００１７】
請求項６に示すように請求項４又は５に記載の立体画像表示装置において、コマ送り速度に応じて、前記複数の画像の表示時間及び／又は枚数を切替えることを特徴とする。
【００１８】
これにより、ユーザが感じる疲労や不快感を少なくすることができ、かつ自然なコマ送りをすることができる。
【００１９】
請求項７に示すように請求項１から６のいずれかに記載の立体画像表示装置において、前記視差低減画像は、視差の無い画像であることを特徴とする。
【００２０】
視差低減画像は、現コマ及び次コマよりも視差を低減したものであれば本願発明の効果を得られるが、より好ましくは、視差をゼロまで低減すれば立体視能力の個人差によるばらつきを抑えることができる。
【００２１】
請求項８に示すように請求項６又は７に記載の立体画像表示装置において、前記コマ送りは、普通速コマ送りと、該普通速コマ送りよりも短時間にコマ送りを行う高速コマ送りを備え、前記高速コマ送りが指示された場合には、コマ送りすべき立体画像の視差を除去して生成された画像だけを表示してコマ送りすることを特徴とする。
【００２２】
これにより、視差が高速に切り替わって目に負担をかけることを防止することができる。
【００２３】
請求項９に示すように請求項８に記載の立体画像表示装置において、前記視差を除去して生成された画像を表示する際に、基となった画像が立体画像である旨の表示を行うことを特徴とする。
【００２４】
これにより、表示している画像が立体画像であるか平面画像であるかの判断が可能となる。
【００２５】
前記目的を達成するために請求項１０に記載の立体画像表示装置は、視差を有する立体画像を表示手段に表示する立体画像表示装置であって、コマ送り指示に応じて表示中の第１の視差を有する現コマの立体画像を第２の視差を有する次コマの立体画像に順次コマ送りする立体画像表示装置において、所定の視差を有する立体画像から前記視差を変化させた立体画像を生成する手段を備え、コマ送りが指示されると、立体画像の視差を変化させた複数の画像であって、前記視差が前記第１の視差から前記第２の視差まで変化する複数の画像を順に表示してから前記次コマの立体画像を表示することを特徴とする。
【００２６】
請求項１０に記載の発明によれば、コマ送りが指示されると、立体画像の視差を変化させた複数の画像であって、第１の視差から第２の視差まで変化する複数の画像を表示してから次コマの立体画像を表示手段に表示するようにしたので、所定の視差を持つ立体画像を表示している状態から視差の異なる立体画像に表示を切り替える際に、ユーザが感じる疲労や不快感を少なくすることができる。
【００２７】
請求項１１に示すように請求項１０に記載の立体画像表示装置において、前記立体画像の視差を変化させた複数の画像は、前記現コマの立体画像の視差を前記第１の視差から前記第２の視差まで変化させた複数の画像であることを特徴とする。
【００２８】
これにより、ユーザが感じる疲労や不快感を少なくすることができ、かつ自然なコマ送りをすることができる。
【００２９】
請求項１２に示すように請求項１０に記載の立体画像表示装置において、前記立体画像の視差を変化させた複数の画像は、前記次コマの立体画像の視差を前記第１の視差から前記第２の視差まで変化させた複数の画像であることを特徴とする。
【００３０】
これにより、ユーザが感じる疲労や不快感を少なくすることができ、かつ自然なコマ送りをすることができる。
【００３１】
前記目的を達成するために請求項１３に記載の立体画像表示方法は、視差を有する立体画像を表示手段に表示する立体画像表示方法であって、コマ送り指示に応じて表示中の現コマの立体画像を次コマの立体画像に順次コマ送りする立体画像表示方法において、コマ送りが指示されると、現コマの視差及び次コマの視差よりも視差の小さい視差低減画像を表示した後に前記次コマの立体画像を前記表示手段に表示することを特徴とする。
【００３２】
前記目的を達成するために請求項１４に記載の立体画像表示方法は、視差を有する立体画像を表示手段に表示する立体画像表示方法であって、コマ送り指示に応じて表示中の第１の視差を有する現コマの立体画像を第２の視差を有する次コマの立体画像に順次コマ送りする立体画像表示方法において、所定の視差を有する立体画像から前記視差を変化させた立体画像を生成する工程を備え、コマ送りが指示されると、立体画像の視差を変化させた複数の画像であって、前記視差が前記第１の視差から前記第２の視差まで変化する複数の画像を順に表示してから前記視差のない画像を表示することを特徴とする。
【発明の効果】
【００３３】
本発明によれば、コマ送りが指示されると、視差を低減した画像を表示した後に次コマの立体画像を前記表示手段に表示するようにしたので、所定の視差を持つ立体画像を表示している状態から視差の異なる立体画像に表示を切り替える際に、ユーザが感じる疲労や不快感を少なくすることができる。
【図面の簡単な説明】
【００３４】
【図１】図１は、本発明に係る立体画像表示装置１の正面図である。
【図２】図２は、立体画像表示装置１の電気的構成の一例を示す図である。
【図３】図３は、立体画像表示デバイス１４に表示された立体画像のコマ送りを示す図である。
【図４】図４は、立体画像表示デバイス１４に表示された立体画像のコマ送りを示す図である。
【図５】図５は、立体画像表示デバイス１４に表示された立体画像のコマ送りを示す図である。
【図６】図６は、立体画像１０１及び１０３の視差の変化を示す図である。
【図７】図７は、第２の実施の形態のコマ送りを示すフローチャートである。
【図８】図８は、普通速コマ送り時の視差の変化と高速コマ送り時の視差の変化を示す図である。
【図９】図９は、第３の実施の形態のコマ送りを示すフローチャートである。
【図１０】図１０は、立体画像表示デバイス１４に表示された立体画像のコマ送りを示す図である。
【図１１】図１１は、立体画像表示デバイス１４に表示された立体画像のコマ送りを示す図である。
【図１２】図１２は、立体画像表示デバイス１４に表示された立体画像のコマ送りを示す図である。
【図１３】図１３は、立体画像１０１及び１０３の視差の変化を示す図である。
【図１４】図１４は、立体画像１０１及び１０３の視差の変化を示す図である。
【発明を実施するための形態】
【００３５】
以下に、本発明を実施するための最良の形態について説明する。
【００３６】
＜第１の実施の形態＞
図１は、本発明に係る立体画像表示装置１の正面図である。同図に示すように、立体画像表示装置１の筐体は略直方体の箱状に形成されており、その正面には立体画像表示デバイス１４、操作部２６が設けられている。
【００３７】
操作部２６は、図では詳細に表されていないが、記録／再生モード選択スイッチ２６ａ、記録ボタン２６ｃ、電源ボタン２６ｄ、ズームボタン２６ｅ、メニューボタン２６ｆ、メニュー選択用十字キー２６ｇ等を備えており、ユーザは、それぞれの操作に応じて立体画像表示装置１を制御する。
【００３８】
立体画像表示デバイス１４は、立体画像データを立体表示することが可能なレンチキュラーレンズ方式の３Ｄモニタである。立体画像表示デバイス１４は、動作モード、ズーム等を設定する際の各種のメニュー画面を表示させ、操作部２６の操作に応じて設定項目の設定が可能なＧＵＩ用の画面を表示する。
【００３９】
図２は、立体画像表示装置１の電気的構成の一例を示す図である。同図に示すように、立体画像表示装置１は、前述の立体画像表示デバイス１４、操作部２６の他、画像信号処理部１０、立体画像信号処理部１１、圧縮処理部１２、ビデオエンコーダ１３、バス１５、ＣＰＵ１６、音入力処理部１７、ステレオマイクアンプ部１８、マイク１９、メモリ２０、ＲＯＭ２１、メディア記録制御部２２、記録メディア２３等から構成される。
【００４０】
各部はＣＰＵ１６に制御されて動作し、ＣＰＵ１６は、操作部２６からの入力に基づき所定の制御プログラムを実行することにより、立体画像表示装置１の各部を制御する。
【００４１】
ＲＯＭ２１にはＣＰＵ１６が実行する制御プログラムのほか、制御に必要な各種データ等が記録されている。ＣＰＵ１６は、ＲＯＭ２１に記録された制御プログラムをメモリ２０に読み出し、逐次実行することにより、立体画像表示装置１の各部を制御する。
【００４２】
ビデオエンコーダ１３は、ＣＰＵ１６からの指令に従い、バス１５を介して入力された画像データの立体画像表示デバイス１４への表示を制御する。
【００４３】
ステレオマイクアンプ部１８は、マイク１９から入力された音声信号を増幅し、音入力処理部１７に入力する。音入力処理部１７は、ＣＰＵ１６からの指令に従い、ステレオマイクアンプ部１８から入力された音声入力を所定のフォーマットのデジタル信号に変換する。
【００４４】
記録メディア２３は、半導体メモリカード、可搬型小型ハードディスク、磁気ディスク、光ディスク、光磁気ディスク等の着脱可能な記録媒体である。メディア記録制御部２２には、圧縮処理部１２により圧縮処理が施された画像データや音入力処理部１７においてデジタル信号に変換された音声データがバス１５を介して入力され、メディア記録制御部２２はこれらの信号を記録メディア２３に記録する。
【００４５】
音出力装置２４は、バス１５を介して入力された音声信号に基づいて、スピーカ２５から音声を発生させる。
【００４６】
電源部２７は、図示しないＡＣ電源から各種のＤＣ電圧を生成して立体画像表示装置１の各部に電源を供給する。各種のＤＣ電圧は、ＡＣ電源からではなく、立体画像表示装置１に内蔵された電池から生成してもよい。
【００４７】
次に、立体画像表示装置１の立体画像のコマ送りについて説明する。図３（ａ）は、立体画像表示デバイス１４に、所定の視差を有する立体画像１０１が表示されている様子を示す図である。この立体画像１０１は、記録メディア２３に記録されている画像である。ユーザは、この状態において、立体画像１０１を立体視することができる。
【００４８】
ここで、立体画像表示装置１は、ユーザが操作部２６を操作することにより、現在表示されている立体画像１０１から、次に表示すべき所定の視差を有する立体画像１０３へ、表示をコマ送りさせることができる。表示を行う順番は、予めユーザが自由に決められるように構成されており、例えば撮影された日時順等が考えられる。
【００４９】
なお、コマ送りとは、予め決められた表示順で順次表示させることだけでなく、現コマの表示中にユーザが指定した任意のコマに表示を切り替えることも含んでおり、このようにコマ送りするように構成してもよい。
【００５０】
ＣＰＵ１６は、操作部２６が操作されて立体画像のコマ送りが指示されると、ビデオエンコーダ１３を介して、立体画像表示デバイス１４の表示を現在表示している立体画像１０１から、視差のない画像１０２の表示に切替える。この視差のない画像１０２は、予めＲＯＭ２１に記憶されている。図３（ｂ）は、立体画像表示デバイス１４に、視差のない画像１０２が表示されている様子を示す図である。ここでは、視差のない画像１０２として全体が白色の画像を用いているが、どのような画像を用いてもよい。ユーザは、視差のない画像１０２が表示されている期間、この画像を視認し、立体画像１０１の視差に慣れた眼を視差の無い状態に切替えることができる。
【００５１】
ＣＰＵ１６は、次に表示すべき立体画像１０３をメディア記録制御部２２を介して記録メディア２３から読み出し、視差のない画像１０２の表示を開始してから所定時間の経過後に、立体画像表示デバイス１４の表示を、視差のない画像１０２から次に表示すべき立体画像１０３の表示に切替える。図３（ｃ）は、立体画像表示デバイス１４に、所定の視差を有する立体画像１０３が表示されている様子を示す図である。ユーザは、この状態において、立体画像１０３を立体視することができる。
【００５２】
このように、所定の視差を有する立体画像１０１を表示している状態から、視差の異なる立体画像１０３へ表示を切替える場合に、その間に一度視差のない画像１０２を表示することで、ユーザは、立体画像１０１の視差からいったん視差なし状態のフラットな状態に視覚を切替えることができるため、立体視によるユーザの眼の疲れを軽減させることができる。
【００５３】
本実施の形態では、ユーザが操作部２６を操作することにより立体画像のコマ送りを行ったが、本発明は、所定時間毎にコマ送りを行うスライドショーにおいても適用可能である。コマ送りの際に、視差のない画像１０２を表示するか否かをユーザが選択できるように構成してもよい。
【００５４】
また、コマ送り間に表示される視差のない画像は、立体視を行う画像の視差を無くした画像であってもよい。
【００５５】
例えば、図４（ａ）に示すように、立体画像表示デバイス１４に立体画像１０１が表示されている状態において、ユーザがコマ送り操作した場合に、図４（ｂ）に示すように、現在表示している立体画像１０１から、立体画像１０１の視差をなくした画像１０１ａの表示に切替えてもよい。立体画像１０１の視差をなくした画像１０１ａは、立体画像１０１の表示中に、立体画像１０１の左目用画像と右目用画像とに基づいて生成しておく。
【００５６】
次に、立体画像表示装置１は、図４（ｃ）、（ｄ）に示すように、視差をなくした画像１０１ａから、視差をなくした画像１０３ａに表示を切替える。視差をなくした画像１０３ａは、次に表示すべき立体画像１０３の視差をなくした画像であり、視差をなくした画像１０１ａと同様に、立体画像１０１の表示中に、立体画像１０３の左目用画像と右目用画像とに基づいて生成しておく。なお、画像１０１ａから画像１０３ａへの切替えは、図ではスライドアウト、スライドインを用いて行っているが、フェードアウト／フェードイン、オーバーラップ、ワイプ等を用いてもよい。
【００５７】
視差をなくした画像１０３ａの表示後、図４（ｅ）に示すように、次に表示すべき立体画像１０３の表示に切替える。この状態で、ユーザは、立体画像１０３の立体視が可能となる。
【００５８】
なお、このコマ送りに要する時間は、図４（ｂ）に示す視差をなくした画像１０１ａの表示時間を０．３秒、図４（ｃ）に示すコマ切り替えに０．４秒、図４（ｄ）に示す視差をなくした画像１０３ａの表示時間を０．３秒とし、全体として１コマ送るために要する時間を約１秒とすることが好ましい。このようにコマ送りすることにより、立体視によるユーザの眼の疲れを軽減させることができ、かつスムーズなコマ送りを実現することが可能となる。なお、コマ送りに要する時間はこの例に限定されるものではなく、適宜決めればよい。視差に応じて変更してもよいし、ユーザが自由に設定できるように構成してもよい。
【００５９】
なお、コマ送り間に表示される画像は、立体視を行う画像の視差を無くした画像ではなく、立体視を行う画像の視差を、ユーザの目に負担のかからない視差まで低減した画像であってもよい。例えば、立体画像１０１の視差を低減した画像は、立体画像１０１の表示中に、立体画像１０１の左目用画像と右目用画像とに基づいて生成しておく。ユーザがコマ送り操作を行った場合は、現在表示している立体画像１０１から、立体画像１０１の視差を低減した画像の表示に切り替える。
【００６０】
同様に、立体画像１０３の視差を低減した画像を生成しておき、立体画像１０１の視差を低減した画像から立体画像１０３の視差を低減した画像に表示を切り替える。
【００６１】
このように、視差を完全に無くした画像ではなく、ユーザの目に負担のかからない視差まで低減させた画像を用いてコマ送りすることによっても、立体視によるユーザの眼の疲れを軽減させることができ、かつスムーズなコマ送りを実現することが可能となる。
【００６２】
さらに、コマ送りされる立体画像は、視差が徐々に変化するように表示してもよい。
【００６３】
例えば、図５（ａ）に示す立体画像１０１が表示されている状態において、ユーザがコマ送り操作した場合に、図５（ｃ）に示す視差をなくした画像１０１ａを表示させるまでの間に、図５（ｂ）に示すように、立体画像１０１から視差を徐々に減少させた複数の立体画像１０１ｂを表示させる。この立体画像１０１の視差を徐々に減少させた複数の立体画像１０１ｂは、立体画像信号処理部１１において、立体画像１０１の左目用画像及び右目用画像に基づいて対応点抽出を行い、抽出した対応点に基づいて、立体画像１０１の視差から視差がなくなるまで、視差を微小ずつ異ならせて生成する。さらに、これらの多数の視差の異なる立体画像１０１ｂを微小時間毎に順次表示を行うことにより、動画のように視差が徐々に小さくなるように表示される。
【００６４】
この場合の視差の変化について、図６を用いて説明する。図６は、立体画像１０１及び１０３の視差の変化を示す図であり、横軸に時間、縦軸に表示画像の視差を表している。同図に示すように、コマ送りが指示されると、時間ｔ０から時間ｔ１までの間において、所定の視差を有する立体画像１０１から視差をなくした画像１０１ａまで、視差が徐々に変化するように表示が行われる。同図においては、指数関数的に視差を変化させているが、一次関数的に視差を変化させるように表示してもよい。この時間ｔ０から時間ｔ１までの期間は、０．３秒程度であることが好ましい。
【００６５】
その後、図４の場合と同様に、図５（ｄ）に示すように、視差をなくした画像１０１ａから視差をなくした画像１０３ａへと表示を切替える。この期間は、図６においては、時間ｔ１から時間ｔ２に相当する。前述したように、この期間は０．４秒程度であることが好ましい。
【００６６】
さらに、図５（ｅ）に示す視差をなくした画像１０３ａから図５（ｇ）に示す立体画像１０３を表示するまでの間に、図５（ｆ）に示すように、視差を徐々に付加した複数の立体画像１０３ｂを表示させる。この視差を徐々に付加した複数の立体画像１０３ｂについても、立体画像信号処理部１１において、立体画像１０３の左目用画像及び右目用画像から立体画像１０３の視差を変化させることにより生成される。さらに、これらの複数の画像を視差の小さい順に表示することにより、視差が徐々に大きくなるように表示される。
【００６７】
その後、立体画像１０３の表示を行う。この状態で、ユーザは、立体画像１０３の立体視が可能となる。
【００６８】
図６に示すように、この視差の変化についても指数関数的に視差を変化させているが、一次関数的に視差を変化させるように表示してもよい。また、この時間ｔ２から時間ｔ３までの期間は、０．３秒程度であることが好ましい。
【００６９】
このように、立体画像を表示している状態においてコマ送りが指示されると、表示している立体画像の視差を視差がなくなるまで徐々に減らしていき、視差がなくなった状態になったら、次のコマへ切替える。次コマが立体画像である場合には、次コマの視差をなくした画像を表示し、本来の視差となるまで視差を徐々に付加していく。このようにコマ送りを行うことにより、ユーザは違和感無く視差なし状態のフラットな状態に視覚を切替えることができ、立体視による眼の疲れを軽減することができる。
【００７０】
なお、図５（ｃ）に示す視差をなくした画像１０１ａの代わりに、立体画像１０１の視差を低減した画像を用いる場合には、図５（ｂ）に示す視差を徐々に減少させた複数の立体画像１０１ｂの視差は、立体画像１０１の視差から視差を低減した画像の視差まで変化させればよい。図５（ｅ）に示す視差をなくした画像１０３ａの代わりに、立体画像１０３の視差を低減した画像を用いる場合も、図５（ｆ）に示す視差を徐々に付加した複数の立体画像１０３ｂの視差は、視差を低減した画像の視差から立体画像１０３の視差まで変化させればよい。
【００７１】
このようにコマ送りを行っても、ユーザの立体視による眼の疲れを軽減することができる。
【００７２】
＜第２の実施の形態＞
図７は、第２の実施の形態のコマ送りを示すフローチャートである。第２の実施の形態では、立体画像表示装置１は、普通速コマ送りと高速コマ送りの２種類のコマ送りを備えている。普通速コマ送りは、ユーザの指示に応じて次の画像へ表示をコマ送りするものであり、高速コマ送りは、短時間に多くの画像をコマ送りできるように、１枚の画像あたりの表示時間を短くして順次連続してコマ送りを行う。ここでは、普通速コマ送りは１コマを送るために要する時間は約１秒、高速コマ送りは１コマ送るために要する時間は約０．３秒とする。
【００７３】
普通速コマ送りと高速コマ送りは、操作部２６の異なる操作部材を割り当ててもよいし、同じ操作部材（操作ボタン）において、短時間オンされた場合には普通速コマ送り、長時間オンされた場合には高速コマ送りのように振り分けてもよい。
【００７４】
第１の実施の形態と同様に、立体画像表示デバイス１４に所定の視差を有する立体画像１０１が表示されている状態（ステップＳ１）で、ユーザが操作部２６によりコマ送り操作をすると（ステップＳ２）、ＣＰＵ１６は、ユーザのコマ送り操作が高速コマ送り操作であるか否かを判定する（ステップＳ３）。
【００７５】
高速コマ送りではない場合は、普通速コマ送りを行う（ステップＳ４）。普通速コマ送りは、第１の実施の形態の図５と同様のコマ送りである。即ち、立体画像１０１が表示されている状態から、立体画像１０１から視差を徐々に減少させた複数の立体画像１０１ｂを表示させ、視差をなくした画像１０１ａを表示する。その後、次に表示すべき立体画像１０３の視差をなくした画像１０３ａに表示を切り替え、さらに視差を徐々に付加した複数の立体画像１０３ｂを表示させ、最後に次に表示すべき立体画像１０３を表示する（ステップＳ６）。ここで、複数の立体画像１０１ｂの表示時間を０．３秒、視差をなくした画像１０１ａから視差をなくした画像１０３ａへの切り替えを０．４秒、複数の立体画像１０３ｂの表示時間を０．３秒とすることで、１コマを送るために要する時間を約１秒としている。
【００７６】
ステップＳ３において、高速コマ送りと判断した場合は、高速コマ送りを行う（ステップＳ５）。高速コマ送りについても、表示される画像は第１の実施の形態の図５と同様であるが、普通速コマ送りとは、それぞれの表示時間が異なる。図８に、普通速コマ送り時の視差の変化と高速コマ送り時の視差の変化について示す。実線が普通速コマ送り時の視差の変化を示しており、図６に示す視差の変化と同様となっている。また、点線は高速コマ送り時の視差の変化を示しており、時間ｔ１０〜ｔ１１が複数の立体画像１０１ｂの表示時間、ｔ１１〜ｔ１２が視差をなくした画像１０１ａから視差をなくした画像１０３ａへの切り替え時間、時間ｔ１２〜ｔ１３が複数の立体画像１０３ｂの表示時間となっており、それぞれ０．１秒ずつとすることで、１コマを送るために要する時間を約０．３秒としている。
【００７７】
複数の立体画像１０１ｂ及び複数の立体画像１０３ｂの表示時間を普通速コマ送り時よりよりも短くするためには、複数の立体画像の画像数を少なくして１枚あたりの表示時間を普通速コマ送りと同様としてもよいし、立体画像の画像数は普通速コマ送りと同様とし、１枚あたりの表示時間を短くしてもよい。
【００７８】
このように表示を行うことにより、指示されたコマ送り速度を実現しつつ、ユーザは視差なし状態のフラットな状態に視覚を切替えることができ、立体視による眼の疲れを軽減することができる。
【００７９】
＜第３の実施の形態＞
図９は、第３の実施の形態のコマ送りを示すフローチャートである。第３の実施の形態では、立体画像表示装置１は、普通速コマ送り、中速コマ送り、及び高速コマ送りの３種類のコマ送りを備えている。普通速コマ送りは、第２の実施の形態の普通速コマ送りと同様であり、中速コマ送りは、第２の実施の形態の高速コマ送りと同様である。また、第３の実施の形態の高速コマ送りは、中速コマ送りよりもさらに短時間に多くの画像をコマ送りするためのものであり、１コマ送るために要する時間が約０．２秒となっている。
【００８０】
これらのコマ送りは、操作部２６の異なる操作部材を割り当ててもよいし、同じ操作部材（操作ボタン）において、オンされた時間に応じて振り分けてもよい。
【００８１】
第２の実施の形態と同様に、立体画像表示デバイス１４に所定の視差を有する立体画像１０１が表示されている状態（ステップＳ１）で、ユーザが操作部２６によりコマ送り操作をすると（ステップＳ２）、ＣＰＵ１６は、指示されたコマ送り速度を判定する（ステップＳ１１）。
【００８２】
指示されたコマ送り速度が普通速コマ送りの場合は（ステップＳ１２）、第２の実施の形態の普通速コマ送りと同様のコマ送りを行う。また、指示されたコマ送り速度が中速コマ送りの場合は（ステップＳ１４）、第２の実施の形態の高速コマ送りと同様のコマ送りを行う（ステップＳ１５）。これらのコマ送りの詳細についての説明は省略する。
【００８３】
指示されたコマ送り速度が高速コマ送りの場合は（ステップＳ１６）、視差をなくした画像のみでコマ送りを行う（ステップＳ１７）。
【００８４】
図１０は、立体画像表示デバイス１４の表示を示す図であり、このステップＳ１７の高速コマ送りを示す図である。高速コマ送りは、立体画像１０１、１０３、１０５の順にコマ送りを行うとした場合、これらの立体画像の視差をなくした画像１０１ａ、１０３ａ、１０５ａだけを表示してコマ送りを行う。
【００８５】
立体画像１０１が表示されている状態において、ユーザが高速コマ送りを指示すると、これまでと同様に、立体画像１０１から視差を徐々に減少させた複数の立体画像１０１ｂを表示させた後、視差をなくした画像１０１ａを表示する。この状態を図１０（ａ）に示す。この表示を行う時間は、０．１秒とする。
【００８６】
次に、図１０（ｂ）に示すように、スライドアウト・スライドインにより、画像１０１ａから次に表示すべき立体画像１０３の視差をなくした画像１０３ａに切り替える。この切り替え時間についても、０．１秒とする。これまでと同様に、画像切り替えの効果については、他の効果を用いてもよい。
【００８７】
さらに、図１０（ｃ）に示すように画像１０３ａを表示する。この表示を行う時間についても、０．１秒とする。
【００８８】
続いて高速コマ送りが指示されている場合には、図１０（ｄ）に示すように、スライドアウト・スライドインにより、画像１０３ａからその次に表示すべき立体画像１０５の視差をなくした画像１０５ａに切り替える。さらに、図１０（ｅ）に示すように画像１０５ａを表示する。
【００８９】
このように、高速コマ送りを行う場合は、ユーザは立体視するための画像を検索していると考えられるので、コマ送り中の画像を立体表示させずにコマ送り速度を優先させる。このように表示させることで、ユーザが、視差の高速に切り替わる画像群を立体視することで眼に負担をかけることを防止することができる。
【００９０】
なお、図１０に示す高速コマ送りにおいては、ユーザは、コマ送りされている画像が本来は立体画像であるのか元々平面画像であるのかの区別をすることができない。したがって、図１１に示すように、表示している画像が本来は立体画像である旨を知ることができるように、視差をなくした画像とともに立体画像アイコン１０７を表示させてもよい。立体画像アイコン１０７が同時に表示されることで、ユーザは、高速コマ送り中に表示される画像が立体画像でなくても、本来は立体画像であることを知ることができる。
【００９１】
＜第４の実施の形態＞
第１〜第３の実施の形態においては、所定の視差を持つ立体画像から異なる視差を持つ立体画像へコマ送りする場合に、一度視差のない画像を表示したが、現在表示している立体画像の視差を次に表示すべき画像の視差に変化させてもよい。
【００９２】
図１２は、立体画像１０１から立体画像１０３へコマ送りする場合の立体画像表示デバイス１４の表示を示す図である。
【００９３】
図１２（ａ）に示すように立体画像表示デバイス１４に立体画像１０１が表示されている状態において、ユーザがコマ送り操作した場合に、次に表示すべき立体画像１０３を表示させるまでの間に、図１２（ｂ）に示すように、立体画像１０１から視差を徐々に立体画像１０３の視差に近づけた複数の立体画像１０１ｃを表示させる。この立体画像１０１の視差を立体画像１０３の視差に徐々に近づけた複数の立体画像１０１ｃは、ＣＰＵ１６において予め次に表示すべき立体画像１０３の視差を取得し、立体画像信号処理部１１において、立体画像１０１の左目用画像及び右目用画像に基づいて対応点抽出を行い、抽出した対応点に基づいて、立体画像１０１の視差から次に表示すべき立体画像１０３の視差まで、立体画像１０１の視差を微小ずつ異ならせて生成する。さらに、これらの多数の視差の異なる立体画像１０１ｃを微小時間毎に順次表示を行うことにより、動画のように視差が徐々に立体画像１０３の視差に近くなるように表示される。
【００９４】
次に、図１２（ｃ）に示すように、立体画像１０１の視差を次に表示すべき立体画像１０３の視差と同じ視差にした立体画像１０１ｄを表示する。
【００９５】
この場合の視差の変化について、図１３を用いて説明する。図１３は、立体画像１０１及び１０３の視差の変化を示す図であり、横軸に時間、縦軸に表示画像の視差を表している。同図に示すように、コマ送りが指示されると、時間ｔ２０から時間ｔ２１までの間において、所定の視差を有する立体画像１０１から立体画像１０３の視差と同じ視差にした立体画像１０１ｄまで、視差が徐々に変化するように表示が行われる。同図においては、指数関数的に視差を変化させているが、一次関数的に視差を変化させるように表示してもよい。この時間ｔ２０から時間ｔ２１までの期間は、普通速コマ送りの場合は０．３秒、中速コマ送りの場合は０．１秒程度であることが好ましい。
【００９６】
その後、図１０（ｄ）に示すように、立体画像１０１ｄから立体画像１０３へと表示を切り替える。この期間は、図１３においては、時間ｔ２１から時間ｔ２２に相当する。この期間は、普通速コマ送りの場合は０．４秒、中速コマ送りの場合は０．１秒程度であることが好ましい。
【００９７】
このように、図１２（ｅ）に示すように立体画像１０３の表示を行う。この状態で、ユーザは、立体画像１０３の立体視が可能となる。
【００９８】
このように、立体画像を表示している状態においてコマ送りが指示されると、表示している立体画像の視差を、次に表示すべき立体画像の視差と同じになるまで徐々に変化させていき、視差が次に表示すべき立体画像と同じになったら、次のコマへ切替える。このようにコマ送りを行うことにより、同じ視差の立体画像が切り替わることになるので、ユーザは立体視による眼の疲れを軽減することができる。
【００９９】
なお、本実施の形態においては、立体画像を表示している状態においてコマ送りが指示された場合に、表示中の立体画像の視差を徐々に次に表示すべき立体画像の視差に変化させてからコマを切り替えたが、表示中の立体画像の視差となるように視差が変更された次に表示すべき立体画像にコマを切り替えた後に、当該立体画像の視差を本来の視差に変化させてもよい。
【０１００】
この場合の視差の変化について、図１４を用いて説明する。図１４は、立体画像１０１及び１０３の視差の変化を示す図であり、横軸に時間、縦軸に表示画像の視差を表している。同図に示すように、コマ送りが指示されると、時間ｔ３０から時間ｔ３１までの間において、所定の視差を有する立体画像１０１から立体画像１０１の視差を有する立体画像１０３ｄへと表示を切替える。
【０１０１】
その後、時間ｔ３１から時間ｔ３２までの間において、立体画像１０１の視差を有する立体画像１０３ｄから立体画像１０３まで、多数の視差の異なる複数の立体画像１０３ｃを用いて、視差が徐々に変化するように表示が行われる。多数の視差の異なる立体画像１０３ｃ、及び立体画像１０１の視差有する立体画像１０３ｄは、立体画像信号処理部１１において、予め生成される。
【０１０２】
このようにコマ送りを行った場合であっても、同じ視差の立体画像が切り替わることになるので、ユーザは立体視による眼の疲れを軽減することができる。
【符号の説明】
【０１０３】
１…立体画像表示装置、１０…画像信号処理部、１１…立体画像信号処理部、１４…立体画像表示デバイス、１６…ＣＰＵ、２１…ＲＯＭ、２３…記録メディア、１０１、１０３…立体画像、１０１ａ、１０３ａ…視差をなくした画像、１０１ｂ、１０３ｂ…視差を減少させた画像、１０７…立体画像アイコン
【図１】
2010199740.tif 000003
【図２】
2010199740.tif 000004
【図３】
2010199740.tif 000005
【図４】
2010199740.tif 000006
【図５】
2010199740.tif 000007
【図６】
2010199740.tif 000008
【図７】
2010199740.tif 000009
【図８】
2010199740.tif 000010
【図９】
2010199740.tif 000011
【図１０】
2010199740.tif 000012
【図１１】
2010199740.tif 000013
【図１２】
2010199740.tif 000014
【図１３】
2010199740.tif 000015
【図１４】
2010199740.tif 000016